(57)【特許請求の範囲】
【請求項１】
屋内に設置されて、開口部を防煙状態にすることが可能な防煙装置であって、
第１防煙カーテンと、
第２防煙カーテンと、を備え、
前記第１防煙カーテンは、略方形状で耐熱性の防煙シートである第１防煙シートと、当該第１防煙シートの一辺に設けられた第１固定部材を有し、
前記第２防煙カーテンは、略方形状で耐熱性の防煙シートである第２防煙シートと、当該第２防煙シートの一辺に設けられた第２固定部材を有し、
前記開口部の天井の部分に前記第１防煙シートの他辺及び前記第２防煙シートの他辺が固定され、
前記第１防煙シートを巻き回さずに、前記第１固定部材が天井の部分に着脱可能に固定され、
前記第２防煙シートを巻き回さずに、前記第２固定部材が前記第１固定部材の固定場所とは逆方向の天井の部分に着脱可能に固定され、
前記第１固定部材と前記第２固定部材の天井の部分への固定が解放されると、前記第１防煙カーテン及び前記第２防煙カーテンが前記開口部で垂れ下がり、前記開口部を防煙状態にする防煙装置。
【請求項２】
前記開口部を防煙状態とした際に、前記第１防煙カーテンと前記第２防煙カーテンが互いに重なる被り部を有することを特徴とする請求項１に記載の防煙装置。
【請求項３】
前記開口部を防煙状態とした際に、前記第１防煙シート及び前記第２防煙シートの側部が湾曲して前記開口部の側壁部分に当接することを特徴とする請求項１または２に記載の防煙装置。
【請求項４】
前記開口部を防煙状態とした際に垂れ下がった前記第１固定部材及び前記第２固定部材の高さは、前記開口部における手すりよりも高い位置であることを特徴とする請求項１乃至３のいずれかに記載の防煙装置。
【発明の詳細な説明】
【技術分野】
【０００１】
本発明は、火災発生の際に避難者を煙から守る防煙装置に関する。
【０００２】
入院患者や高齢者等の要介助者は災害弱者であり、病院や高齢者施設において火災発生時の避難の際に、健常者に比べて移動に時間が掛かる。とくに、車椅子の利用者にとって、廊下等での移動は水平避難であるため、比較的移動しやすいが、階段等を降りる垂直避難は自力では困難であり、介助者が必要となる。車椅子利用者の階段降下は、介助者にとっても大変な作業となる。火災時の避難において、人員が豊富で介助者が多数いれば問題ないが、とくに小さな施設においては、人員確保が難しく、特に夜間にはごく少数の人員での対応になってしまう。近年、高齢者向け福祉施設では、火災事故が発生すると多くの死者が発生している。
【０００３】
これに対して、火災発生時の避難の際に、逃げ込むエリアである一時避難エリアを形成して、要介助者も一旦安全な一時避難エリアに全員誘導した後に、時間をかけて屋外へ完全に避難するという運用もできる。ただし、一時避難エリアとして、いわゆる防火区画を形成しようとすると、原則として耐火構造の場所で、開口部を防火戸で閉鎖することが必要になる。こういった堅牢な構造による一時避難エリアの確保は、重厚で、高額の費用が発生し、特に小さな施設においては強度面や費用面で設置することが難しい。
【先行技術文献】
【特許文献】
【０００４】
【特許文献１】特公昭４９−３５７７９号公報
【発明の概要】
【発明が解決しようとする課題】
【０００５】
特許文献１には、垂れ幕により防煙する技術が記載されている。しかし、特許文献１の垂れ幕は、扉に設けたシャッターボックスの巻込み軸に巻かれて設置されているため軸の保持機構が必要となって構造的に複雑であり、火災時に確実に垂れ幕を下すことが困難であった。加えて、垂れ幕とシャッターボックスとの間に隙間が発生してしまうため、その隙間を塞ぐ構造が必要になるとともに、設置してから年月を経ると、垂れ幕下部の重錘によって垂れ幕が徐々に下がってしまう可能性があった。
【課題を解決するための手段】
【０００６】
本発明は、上述した課題を解決するためのものであり、以下の構成を有する。
【０００７】
（１）本発明は、屋内に設置されて、開口部を防煙状態にすることが可能な防煙装置であって、第１防煙カーテンと、第２防煙カーテンと、を備え、前記第１防煙カーテンは、略方形状で耐熱性の防煙シートである第１防煙シートと、当該第１防煙シートの一辺に設けられた第１固定部材を有し、前記第２防煙カーテンは、略方形状で耐熱性の防煙シートである第２防煙シートと、当該第２防煙シートの一辺に設けられた第２固定部材を有し、前記開口部の天井の部分に前記第１防煙シートの他辺及び前記第２防煙シートの他辺が固定され、前記第１防煙シートを巻き回さずに、前記第１固定部材が天井の部分に着脱可能に固定され、前記第２防煙シートを巻き回さずに、前記第２固定部材が前記第１固定部材の固定場所とは逆方向の天井の部分に着脱可能に固定され、前記第１固定部材と前記第２固定部材の天井の部分への固定が解放されると、前記第１防煙カーテン及び前記第２防煙カーテンが前記開口部で垂れ下がり、前記開口部を防煙状態にする防煙装置である。
【０００８】
本発明によれば、防煙シートを天井面から展開することが可能であり、比較的単純で安価な構造の火災時に防煙カーテンを展開する防煙装置を実現することができる。
【０００９】
（２）また、本発明は、前記開口部を防煙状態とした際に、前記第１防煙カーテンと前記第２防煙カーテンが互いに重なる被り部を有することを特徴とする（１）に記載の防煙装置である。
【００１０】
本発明によれば、第１防煙カーテンと第２防煙カーテンの間に隙間を設けずに、煙の進入を防ぐことができる。
【００１１】
（３）また、本発明は、前記開口部を防煙状態とした際に、前記第１防煙シート及び前記第２防煙シートの側部が湾曲して前記開口部の側壁部分に当接することを特徴とする（１）または（２）に記載の防煙装置である。
【００１２】
本発明によれば、開口部の壁側部分と防煙シートとの間に隙間が生じず、隙間からの煙の進入を防ぐことができる。
【００１３】
（４）また、本発明は、前記開口部を防煙状態とした際に垂れ下がった前記第１固定部材及び前記第２固定部材の高さは、前記開口部における手すりよりも高い位置であることを特徴とする（１）乃至（３）のいずれかに記載の防煙装置である。
【００１４】
本発明によれば、病院や高齢者施設等の手すりが設置されている施設においても、展開時に防煙カーテンが手すりに干渉しない。
【発明の効果】
【００１５】
本発明によれば、安価な設備により火災発生時に要介助者等を避難させることができる。
【図面の簡単な説明】
【００１６】
【図１】天井に設けられた設置状態の防煙装置を床方向から見た図。
【図２】図１におけるＡ−Ａ線断面図。
【図３】開口部を防煙状態とした際の第１防煙カーテン１、第２防煙カーテン２を面方向から見た図。
【図４】図３におけるＢ−Ｂ線断面図。
【図５】実施形態の変形例におけるＢ−Ｂ線断面図。
【発明を実施するための形態】
【００１７】
以下、本発明の実施の形態を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
本実施形態は、屋内に設置されて、開口部を防煙状態にすることが可能な防煙装置である。開口部は、例えば高齢者向け福祉施設における居室が並ぶ廊下から階段にかかる箇所であって、この施設にはスプリンクラ設備が設けられていて、火災時の熱はスプリンクラ設備からの放水によって抑え込まれる。
【００１８】
図１は、天井に設けられた設置状態の防煙装置を床方向から見た図である。第１防煙カーテン１は、略方形状で耐熱性の防煙シートである第１防煙シート１１と、第１防煙シート１１の一辺に設けられた第１固定部材１２を有している。また同様に、第２防煙カーテン２は、略方形状で耐熱性の防煙シートである第２防煙シート２１と、第２防煙シート２１の一辺に設けられた第２固定部材２２を有している。第１防煙シート１１と第２防煙シート２１の他辺は、開口部の天井の部分である枠体上部４１に固定されている。設置状態において、第１固定部材は天井の部分に着脱可能に固定されており、第２固定部材は、第１固定部材の固定場所とは逆方向の天井の部分に着脱可能に固定されている。この時、第１防煙シートと第２防煙シートは巻き回されていない。また、第１防煙シート１１と第２防煙シート２１の横幅は枠体上部４１の幅よりもやや大きく、側壁部分である枠体側部４２と接する場所では第１防煙シート１１と第２防煙シート２１の側部が上向きとなるように湾曲している。
【００１９】
第１防煙シート１１と第２防煙シート２１は、ポリエステルのシートにポリ塩化ビニル樹脂をコーティングしたものであり、防煙性とともに透明性を備えている。また、摂氏８０〜１２０度の高温でもほぼ変化せず、寸法安定性と視認性を損なわない耐熱性を有している。第１防煙シート１１と第２防煙シート２１が透明性を有していることにより、一時避難エリアの側から煙等の様子をうかがうことができるとともに、避難してくる要介助者等を視認して受け入れることができる。また、一時避難エリアの反対側からは、何人程度の要介助者等が避難しているか等の一時避難エリア内の様子を視認することができる。
【００２０】
図２は、図１におけるＡ−Ａ線断面図である。枠体上部４１と鉄板５は天井に固定されている。第１固定部材１２と第２固定部材２２には磁石（図示せず）が内蔵されており、鉄板５に着脱可能に固定されている。この磁石としてはネオジム磁石を用いるが、適切な固定強度があればどのようなものでも良い。一方、第１防煙シート１１と第２防煙シート２１は枠体上部４１に固定されている。第１固定部材１２と第２固定部材２２には、先端に引き球が設けられた引き紐６が取り付けられている。引き紐６は邪魔にならないように壁近くで垂下するように設けられることが好ましい。
病院や高齢者施設等で火災が発生すると、看護師や介護者等の介助者は要介助者を一時避難エリアへ避難させてから引き紐６を引く。これにより、第１固定部材１２と第２固定部材２２は鉄板５から解放され、展開して防煙状態となる。
【００２１】
図３は、開口部を防煙状態とした際の第１防煙カーテン１、第２防煙カーテン２を面方向から見た図である。垂下した第１防煙カーテン１と第２防煙カーテン２により、開口部３の上部が閉鎖されて防煙状態となっている。この時、中央部では、第１防煙カーテン１と第２防煙カーテン２が互いに重なって被り部７となる。本実施の形態において、第１防煙カーテン１及び第２防煙カーテン２は、枠体上部４１と枠体側部４２を有した枠体４を用いて設置されている。これによって、既存の施設に追加設置する場合にも、壁面や天井面を加工せずに設置することが可能であり、設置位置を移動させたい場合に対応しやすい。
【００２２】
病院や高齢者施設等には壁面に手すりが設けられている場合が多い。本実施の形態では展開状態で手すり８に当たらないように、第１固定部材１２と第２固定部材２２の高さは、手すり８より高い位置となっている。この結果、第１防煙カーテン１および第２防煙カーテン２の長さは短く、それぞれが天井面を占める幅は少なくてすむ。また、被り部７で第１固定部材１２と第２固定部材２２が着脱可能に固定されるように、磁石は適切な方向と配置で第１固定部材１２と第２固定部材２２に内蔵されている。なお、第１防煙カーテン１および第２防煙カーテン２の下端を手すり８より高くすることで下部の開口は大きくなるが、火災の煙は天井の近傍を移動するため、一時避難した災害弱者が階段を下りるまでの時間として防煙機能を果たすことができる。
【００２３】
図４は、図３におけるＢ−Ｂ線断面図である。第１固定部材１２と第２固定部材２２が着脱可能に固定されているため、被り部７では第１防煙シート１１と第２防煙シート２１が密着している。また、第１防煙シート１１と第２防煙シート２１の横幅は枠体上部４１の幅よりもやや大きいため、その側部に湾曲９が生じる。これにより、第１防煙シート１１と第２防煙シート２１は側壁部分である枠体側部４２に当接するため、側壁部分との隙間による煙の進入を防ぐ。
【００２４】
図５は、実施形態の変形例におけるＢ−Ｂ線断面図である。変形例においては、第１防煙シート１１と第２防煙シート２１における被り部７に縦方向の凸条７１を設けている。これにより被り部７での密着度が増すため、煙の進入をより一層防ぐごとができる。凸条７１の代わりに、第１固定部材と第２固定部材の互いに向き合う位置に磁石を設けて展開状態で互いに磁着するようにしても良い。
【００２５】
第１固定部材１２と第２固定部材２２の天井の部分への固定は、着脱可能であれば磁石によらなくてもよい。なお、電磁式の機構を採用し、図示しない火災受信機からの作動信号によって、火災発生時に自動的に解放する機構としてもよい。また、固定は天井に直接固定してもよく、何らかの部材を介してもよい。防煙カーテンは複数であれば何枚であってもよい。さらに、実施の形態では展開状態の第１防煙シート１１と第２防煙シート２１は湾曲９により枠体側部４２に密着するようにしたが、枠体側部４２の幅を狭くして、直接的に壁に密着するようにしてもよい。また、枠体４を設けずに、直接的に第１防煙シート１１と第２防煙シート２１を天井に固定してもよい。第１防煙シート１１と第２防煙シート２１は、実施態様のように透明性を有していてもよいが、透明性がなくてもよい。
【符号の説明】
【００２６】
１  第１防煙カーテン、１１  第１防煙シート、１２  第１固定部材、２  第２防煙カーテン、２１  第２防煙シート、２２  第２固定部材、３  開口部、４  枠体、４１  枠体上部、４２  枠体側部、５  鉄板、６  引き紐、７  被り部、７１  凸条、８  手すり、９  湾曲
【図１】
0006543555.tif 000002
【図２】
0006543555.tif 000003
【図３】
0006543555.tif 000004
【図４】
0006543555.tif 000005
【図５】
0006543555.tif 000006